(57)【特許請求の範囲】
【請求項１】
オスクリップに形成されたボスをリストバンドの両端部に形成された穴に挿通し、該リストバンドの上からメスクリップに形成された留穴を前記ボスに嵌め合わせて、前記リストバンドを環状に巻き止めるリストバンド用クリップにおいて、
前記オスクリップには、前記ボスの両側に一対のガイド体が形成され、該ガイド体の間にリストバンドが収容されてリストバンドの回動が規制されることを特徴とするリストバンド用クリップ。
【請求項２】
前記オスクリップと前記メスクリップは、円又は楕円形状に形成されていることを特徴とする請求項１に記載のリストバンド用クリップ。
【請求項３】
前記ガイド体は、リストバンドの両端部に形成された穴に挿通可能に形成され、該ガイド体の少なくとも一方を前記リストバンドの両端部に形成された穴に挿通し、前記オスクリップに形成されたボスに前記メスクリップに形成された留穴を嵌め合わせて、前記リストバンドを環状に巻き止め可能であることを特徴とする請求項１又は２に記載のリストバンド用クリップ。
【請求項４】
前記ボスは先端部に弾性変形により拡縮する爪部を有し、該爪部は前記メスクリップの留穴に弾性力に抗して挿入されると、留穴を通過後に拡径して抜け止めされることを特徴とする請求項１、２又は３に記載のリストバンド用クリップ。
【請求項５】
前記メスクリップの上面には、前記留穴に連通する凹部が形成され、該凹部に前記留穴を通過したボスの爪部が収容されることを特徴とする請求項４に記載のリストバンド用クリップ。
【発明の詳細な説明】
【０００１】
【発明の属する技術分野】
本発明はリストバンド用クリップに係り、特に病院で患者の手首や足首などに巻き付けて使用されるリストバンドを環状に巻き止めるリストバンド用クリップに関する。
【０００２】
【従来の技術】
近年、病院では患者の取り違えミスを防止するために、患者の名前や年齢、血液型といった患者固有の識別データを表示したリストバンドを患者の手首や足首に取り付けることが行われている。
【０００３】
一般にリストバンドは帯状に形成されており、これを手首等に巻き付けて両端部をクリップで止めるようにされている。クリップは、オスクリップとメスクリップとで構成されており、オスクリップに形成されたボスをリストバンドの両端部に形成された穴に挿入し、これにメスクリップに形成された留穴を嵌め合わせてリストバンドを環状に巻き止める。
【０００４】
【発明が解決しようとする課題】
しかしながら、従来のクリップはリストバンドに形成された穴にボスを挿入して止めているだけであるため、リストバンドがボスを軸に揺れ動き、装着感が悪いという欠点があった。
【０００５】
また、リストバンドは使用者自身が手首に取り付ける場合には、片手での作業になるため、簡単な操作で取り付けられることが必要となる。
【０００６】
さらに、クリップは、肌に直接触れるものであるため、肌への刺激が少なく、長期間使用していても問題が生じないことが必要である。
【０００７】
本発明は、このような問題に鑑みてなされたもので、リストバンドを簡単に装着することができ、装着感に優れたリストバンド用クリップを提供することを目的とする。
【０００８】
【課題を解決するための手段】
請求項１に記載の発明は、前記目的を達成するために、オスクリップに形成されたボスをリストバンドの両端部に形成された穴に挿通し、該リストバンドの上からメスクリップに形成された留穴を前記ボスに嵌め合わせて、前記リストバンドを環状に巻き止めるリストバンド用クリップにおいて、前記オスクリップには、前記ボスの両側に一対のガイド体が形成され、該ガイド体の間にリストバンドが収容されてリストバンドの回動が規制されることを特徴とするリストバンド用クリップを提供する。
【０００９】
本発明によれば、クリップで止められたリストバンドは、ガイド体によってボスを軸とした回動が規制される。これにより、グラツキやガタツキを生じさせることなく、しっかりとリストバンドを手首等に巻き付けることができ、装着性が向上する。
【００１０】
また、請求項２に記載の発明は、前記目的を達成するために、前記オスクリップと前記メスクリップは、円又は楕円形状に形成されていることを特徴とする請求項１に記載のリストバンド用クリップを提供する。
【００１１】
本発明によれば、オスクリップ及びメスクリップの形状をコーナー部のない円又は楕円とすることにより、肌への刺激を防止することができる。
【００１２】
また、請求項３に記載の発明は、前記ガイド体は、リストバンドの両端部に形成された穴に挿通可能に形成され、該ガイド体の少なくとも一方を前記リストバンドの両端部に形成された穴に挿通し、前記オスクリップに形成されたボスに前記メスクリップに形成された留穴を嵌め合わせて、前記リストバンドを環状に巻き止め可能であることを特徴とする請求項１又は２に記載のリストバンド用クリップを提供する。
【００１３】
本発明によれば、ガイド体をリストバンドの両端部に形成された穴に挿通して、リストバンドを環状に巻き止めることができる。
【００１４】
また、請求項４に記載の発明は、前記目的を達成するために、前記ボスは先端部に弾性変形により拡縮する爪部を有し、該爪部は前記メスクリップの留穴に弾性力に抗して挿入されると、留穴を通過後に拡径して抜け止めされることを特徴とする請求項１、２又は３に記載のリストバンド用クリップを提供する。
【００１５】
本発明によれば、ボスを留穴に嵌め合わせると、ボスの先端に形成された爪部が留穴の上縁に係合し、抜けが防止される。これにより、クリップが外れるのが防止される。
【００１６】
また、請求項５に記載の発明は、前記目的を達成するために、前記メスクリップの上面には、前記留穴に連通する凹部が形成され、該凹部に前記留穴を通過したボスの爪部が収容されることを特徴とする請求項４に記載のリストバンド用クリップを提供する。
【００１７】
本発明によれば、ボスの先端に形成された爪部が凹部内に収容されるため、メスクリップの表面から爪部が突出して、肌を刺激するのを防止できる。
【００１８】
【発明の実施の形態】
以下、添付図面に従って本発明に係るリストバンド用クリップの好ましい実施の形態について詳説する。
【００１９】
図１、図２は、それぞれ本発明に係るリストバンド用クリップの一実施形態を示す平面図と正面図である。同図に示すように、本実施の形態のクリップ１０は、オスクリップ１２とメスクリップ１４とで構成されており、このオスクリップ１２とメスクリップ１４とがヒンジ１６で連結されて一体成型されている。
【００２０】
オスクリップ１２は、楕円形のプレート状に形成されており、その中央部にボス１８が突出して形成されている。ボス１８は、図３に示すように、四角柱状に形成された軸部１８Ａの先端に断面半円形状の爪部１８Ｂが一体成型されている。爪部１８Ｂは、軸部１８Ａの片側に突出して形成されており、弾性変形により拡縮可能に形成されている。
【００２１】
また、このオスクリップ１２には、図１及び図２に示すように、ボス１８の両脇に一対のガイド体２０、２０が突出して形成されている。この一対のガイド体２０、２０は、板状に形成されており、その先端内側には突起部２０Ａ、２０Ａが形成されている。
【００２２】
ここで、この一対のガイド体２０、２０は、使用するリストバンドの幅と略同じ幅で配置されており、ボス１８をリストバンドの穴に挿入すると、リストバンドは丁度ガイド体２０、２０の間に収容される。また、ガイド体２０、２０の間に収容されたリストバンドは、その両縁部が突起部２０Ａ、２０Ａに係合し、これにより、クリップ１０が外れるのが防止される。
【００２３】
メスクリップ１４は、オスクリップ１２と同様に楕円形のプレート状に形成されており、その中央部に留穴２４が形成されている。この留穴２４は、オスクリップ１２に形成されたボス１８の軸部１８Ａの形状に対応して四角形状に形成されている。
【００２４】
また、メスクリップ１４は、その上面（図３における上面）に楕円形の肉盛部１４Ａが形成されており、この肉盛部１４Ａの中央には四角形状の凹部２６が形成されている。凹部２６は、留穴２４に連通して形成されており、留穴２４の上端片側を拡大するように形成されている。
【００２５】
オスクリップ１２のボス１８は、この留穴２４に嵌合される。この際、ボス１８は、その先端の爪部１８Ａを弾性変形させながら留穴２４に挿入する。弾性変形した爪部１８Ｂは、図３に示すように、留穴２４を通過すると拡径し、凹部２６内に収容される。この結果、爪部１８Ｂが凹部２６の底面に係止され、ボス１８が留穴２４から抜けるのが防止される。また、爪部１８Ｂは、凹部２６内に完全に収容され、メスクリップ１４の上面からは突出することがない。
【００２６】
メスクリップ１４には、図１及び図２に示すように、留穴２４の両脇に一対のガイド体収容穴２８、２８が形成されている。この一対のガイド体収容穴２８、２８は、オスクリップ１２に形成されたガイド体２０、２０の形状に対応して形成されている。したがって、オスクリップ１２のボス１８をメスクリップ１４の留穴２４に嵌合させると、丁度そのオスクリップ１２に形成された、ガイド体２０、２０がガイド体収容穴２８に収容される。
【００２７】
ヒンジ１６は、オスクリップ１２とメスクリップ１４とを左右対称に連結する。このヒンジ１６は、薄板状に形成されて屈曲可能に形成されており、その表面には断面半円形状の補強部１６Ａが形成されている。また、このヒンジ１６は、両サイドが円弧状に形成されており、肌に触れても肌を刺激することがないようにされている。
【００２８】
クリップ１０は、このヒンジ１６でオスクリップ１２とメスクリップ１４とを折り畳むと、オスクリップ１２に形成されたボス１８がメスクリップ１４に形成された留穴２４に自動的に嵌入される。また、これと同時にオスクリップ１２に形成されたガイド体２０、２０がメスクリップ１４に形成されたガイド体収容穴２８、２８に収容される。
【００２９】
以上のように構成された本実施の形態のクリップ１０の作用は次のとおりである。
【００３０】
まず、本実施の形態のクリップ１０が用いられるリストバンドについて説明する。
【００３１】
図４は、リストバンド３０の構成を示す斜視図である。同図に示すように、リストバンド３０は、表面に所定の情報（ここでは、患者名、科名、病棟名、血液型、バーコード及び二次元コード）が印字された表示部３２と、その表示部３２の両側に延びるバンド部３４、３６とで構成されている。バンド部３４、３６は、一方のバンド部３４が他方のバンド部３６に対して短く形成されており、その短い方のバンド部３４には、長穴状のセット穴３８が１つ形成されている。一方、長い方のバンド部３６には、長穴状のバンド穴４０、４０、…が複数個一定の間隔をもって形成されており、このバンド穴４０、４０、…を選択することにより、サイズを変更できるようにされている。
【００３２】
次に、以上のように構成されたリストバンド３０を本実施の形態のクリップ１０を用いて手首に巻き付ける方法は以下のとおりである。
【００３３】
まず、図５及び図６に示すように、短い方のバンド部３４に形成されたセット穴３８にオスクリップ１２に形成されたボス１８を通す。セット穴３８にボス１８が通されたバンド部３４は、そのボス１８の両脇に形成された一対のガイド体２０、２０の間に収容される。これにより、クリップ１０がリストバンド３０に取り付けられる。
【００３４】
この際、バンド部３４は、オスクリップ１２に対してボス１８から抜ける方向に移動しようとすると、その両縁部がガイド体２０に形成された突起部２０Ａに係合し、ボス１８から簡単に抜けるのが防止される。
【００３５】
次に、リストバンド３０を手首に巻き付け、長い方のバンド部３６に形成されたバンド穴４０を一つ選択してボス１８を通す。バンド穴４０にボス１８が通されたバンド部３６は、上記同様一対のガイド体２０、２０の間に収容される。これにより、リストバンド３０が手首に巻き付けられる。
【００３６】
次に、ヒンジ１６を介してメスクリップ１４をオスクリップ１２側に折り曲げる。メスクリップ１４を折り曲げると、自動的にメスクリップ１４に形成された留穴２４がボス１８に嵌め合わされる。これにより、リストバンド３０が環状に巻き止められる。
【００３７】
この際、ボス１８は、その先端に形成された爪部１８Ｂが弾性力に抗してメスクリップ１４の留穴２４に嵌入される。留穴２４に嵌入された爪部１８Ｂは、留穴２４を通過すると、凹部２６内で拡径し、その凹部２６の底面に係合してメスクリップ１４をロックする。
【００３８】
ここで、ボス１８の爪部１８Ｂは、図３に示すように、メスクリップ１４の表面から突出することなく凹部２６内に収容される。また、一旦凹部２６内で拡径した爪部１８Ｂは、凹部２６の底面に係止され、二度と抜けることなくメスクリップ１４をロックする。
【００３９】
以上説明したように、本実施の形態のクリップ１０によれば、リストバンド３０に形成されたセット穴３８とバンド穴４０にボス１８を通し、ヒンジ１６でメスクリップ１４を折り曲げるだけで簡単にリストバンド３０を円環状に巻き止めることができる。
【００４０】
また、ボス１８が通されたリストバンド３０は、そのボス１８の両脇に配置された一対のガイド体２０、２０の間に収容されるため、そのボス１８を中心とした回動方向の動きが規制される。これにより、グラツキ等を生じさせることなく、しっかりとリストバンド３０を手首に装着することができる。
【００４１】
また、クリップ１０は、全体としてコーナー部のない楕円形状に形成されているため、肌に触れても肌を刺激することがなく、長期間使用していても使用者に不快感を与えることがない。同様にオスクリップ１２とメスクリップ１４とを止める爪部１８Ｂもメスクリップ１４の表面から突出することがないので、肌を刺激することがなく、使用者に不快感を与えることがない。
【００４２】
また、ボス１８と留穴２４とは、ヒンジ１６を介してメスクリップ１４を折り曲げるだけで自動的に嵌合させることができるため、片手でもリストバンド３０の取り付けができる。
【００４３】
なお、本実施の形態のクリップ１０では、リストバンド３０に形成されたセット穴３８及びバンド穴４０にボス１８を通してリストバンド３０を環状に巻きとめるようにしているが、セット穴及びバンド穴にガイド体２０が挿通可能であれば、図７に示すように、ガイド体２０をセット穴及びバンド穴に通してリストバンド３０を巻き止めるようにしてもよい。
【００４４】
この場合、まず、短い方のバンド部３４に形成されたセット穴３８にオスクリップ１２に形成されたガイド体２０の一方（ヒンジ１６から離れた方のガイド体）を通す。
【００４５】
次に、リストバンド３０を手首に巻き付け、長い方のバンド部３６に形成されたバンド穴４０を一つ選択する。そして、その選択したバンド穴４０より先端側のバンド部３６をハサミ等で切断する（たとえば、図４において、先端側から３番目のバンド穴４０を選択した場合は、２番目のバンド穴４０と３番目のバンド穴４０との間のバンド部３６を切断する。）。
【００４６】
次に、選択したバンド穴４０をオスクリップ１２に形成されたガイド体２０に通す。これにより、リストバンド３０が手首に巻き付けられる。
【００４７】
次に、ヒンジ１６を介してメスクリップ１４をオスクリップ１２側に折り曲げる。メスクリップ１４を折り曲げると、自動的にメスクリップ１４に形成された留穴２４がボス１８に嵌め合わされる。これにより、リストバンド３０が環状に巻き止められる。
【００４８】
このように、ガイド体２０にセット穴３８及びバンド穴４０を通してリストバンド３０を巻き止めることもできる。
【００４９】
また、本実施の形態のクリップ１０のガイド体２０は、横方向に長い板状に形成されており、かつ、ガイド体２０とセット穴３８及びバンド穴４０の形状、大きさがほぼ同様であるため、リストバンド３０の回動を規制することができる。したがって、このように止めた場合であっても、リストバンド３０のガタツキを抑えて環状に巻き止めることができる。
【００５０】
また、ガイド体２０は、その先端内側に突起部２０Ａ、２０Ａが形成されているので、一度セット穴３８若しくはバンド穴４０を通すと外れにくいため、クリップ１０の取り付けを容易に行うことができる。
【００５１】
なお、本実施の形態では、ボスの形状を四角柱状としているが、このボスの形状はリストバンドに形成されたバンド穴の形状に応じて適宜変更することが好ましい。たとえば、バンド穴の形状が円形の場合は、ボスの軸部を円柱状とし、爪部を半球状に形成する。
【００５２】
また、爪部は軸部に対して片側に突出させて形成させているが、両側に等量突出させるようにしてもよい。この場合、メスクリップに形成する凹部も留穴の両側に等量突出させて形成する。
【００５３】
また、複数色のクリップを揃え、クリップの色で各種情報の識別を行うようにしてもよい。たとえば、血液型の識別として、赤、青、黄色、緑の四色のクリップを揃え、赤をＡ型、青をＢ型、黄色をＡＢ型、緑をＯ型として、クリップの色で装着者の血液型を識別できるようにしてもよい。この他、診療科別や病棟別に色分けして、クリップの色で診療科や病棟を識別できるようにしてもよい。
【００５４】
この際、オスクリップとメスクリップの色を分けて二つの情報を識別できるようにしてもよい。
【００５５】
【発明の効果】
以上説明したように、本発明によれば、クリップで止められたリストバンドは、ガイド体によってボスを軸とした回動が規制されるので、グラツキやガタツキを生じさせることなく、しっかりとリストバンドを手首等に巻き付けることができる。また、コーナー部のない形状とすることにより、肌への刺激をなくし、装着感を向上させることができる。
【図面の簡単な説明】
【図１】リストバンド用クリップの一実施形態を示す平面図
【図２】リストバンド用クリップの一実施形態を示す正面図
【図３】リストバンド用クリップの一実施形態を示す側面断面図
【図４】リストバンドの構成を示す斜視図
【図５】クリップの取り付け方法を示す平面図
【図６】クリップの取り付け方法を示す正面図
【図７】クリップの他の取り付け方法を示す斜視図
【符号の説明】
１０…クリップ、１２…オスクリップ、１４…メスクリップ、１４Ａ…肉盛部、１６…ヒンジ、１８…ボス、１８Ａ…軸部、１８Ｂ…爪部、２０…ガイド体、２０Ａ…突起部、２４…留穴、２６…凹部、２８…ガイド体収容穴、３０…リストバンド、３２…表示部、３４…バンド部、３６…バンド部、３８…セット穴、４０…バンド穴
【図１】
0004589573.tif 000002
【図２】
0004589573.tif 000003
【図３】
0004589573.tif 000004
【図４】
0004589573.tif 000005
【図５】
0004589573.tif 000006
【図６】
0004589573.tif 000007
【図７】
0004589573.tif 000008